(57)【要約】【課題】より多くの番組を案内できる番組案内装置を提供する。【解決手段】テレビ番組を録画して、番組データとして蓄積し、当該番組データから抽出した抽出情報を、当該抽出元となった番組の情報に関連付けて保持する。移動体の移動中に取得した移動中取得情報等のキーと予め定めた関係にある抽出情報を検索して、この検索の結果、キーと予め定めた関係にある抽出情報が見つけ出されると、当該見つけ出した抽出情報に関連付けられた番組の情報を取り出して、当該取り出した番組の情報に基づいて、蓄積されている番組データを案内する。【選択図】図１
2014107832.tif 000002
【特許請求の範囲】
【請求項１】
テレビ番組を録画して、番組データとして蓄積する番組データ蓄積手段と、
前記番組データから抽出した抽出情報を、当該抽出元となった番組の情報に関連付けて保持する抽出情報保持手段と、
移動体の移動中に取得した移動中取得情報をキーとし、当該キーと予め定めた関係にある前記抽出情報を検索する検索手段と、
前記検索の結果、前記キーと予め定めた関係にある前記抽出情報が見つけ出されると、当該見つけ出した抽出情報に関連付けられた番組の情報を取り出して、当該取り出した番組の情報に基づいて、前記蓄積されている番組データを案内する案内手段と、
を含む番組案内装置。
【請求項２】
テレビ番組を録画して、番組データとして蓄積する番組データ蓄積手段と、
前記番組データから抽出した抽出情報を、当該抽出元となった番組の情報に関連付けて保持する抽出情報保持手段と、
利用者が行った経路検索の履歴を取得する経路検索履歴取得手段と、
当該経路検索の履歴に基づき、当該履歴で検索された経路上にある、所定条件を満足する地理情報を抽出する地理情報抽出手段と、
この当該抽出した地理情報をキーとし、当該キーと予め定めた関係にある前記抽出情報を検索する検索手段と、
前記検索の結果、前記キーと予め定めた関係にある前記抽出情報が見つけ出されると、当該見つけ出した抽出情報に関連付けられた番組の情報を取り出して、当該取り出した番組の情報に基づいて、前記蓄積されている番組データを案内する案内手段と、
を含む番組案内装置。
【請求項３】
請求項１記載の番組案内装置であって、
前記移動中取得情報は、移動体の移動経路上にある所定条件を満足する地理情報である番組案内装置。
【請求項４】
請求項１記載の番組案内装置であって、
前記移動中取得情報は、移動体の移動中に取得されたラジオ音声の情報である番組案内装置。
【請求項５】
請求項１記載の番組案内装置であって、
前記移動中取得情報は、移動体の移動中に視聴されていた番組情報である番組案内装置。
【請求項６】
移動中に移動中取得情報を取得する移動体と、番組案内装置とを含む情報処理システムであって、
前記番組案内装置は、
テレビ番組を録画して、番組データとして蓄積する番組データ蓄積手段と、
前記番組データから抽出した抽出情報を、当該抽出元となった番組の情報に関連付けて保持する抽出情報保持手段と、
前記移動体から、当該移動体が移動中に取得した移動中取得情報を受け入れる手段と、
当該受け入れた移動中取得情報をキーとし、当該キーと予め定めた関係にある前記抽出情報を検索する検索手段と、
前記検索の結果、前記キーと予め定めた関係にある前記抽出情報が見つけ出されると、当該見つけ出した抽出情報に関連付けられた番組の情報を取り出して、当該取り出した番組の情報に基づいて、前記蓄積されている番組データを案内する案内手段と、
を含む情報処理システム。
【発明の詳細な説明】
【技術分野】
【０００１】
本発明は、録画された番組を案内する番組案内装置及びシステムに関する。
【背景技術】
【０００２】
近年では放送信号のディジタル化に伴い、種々の情報が番組の映像情報とともに放送されている。例えば電子番組ガイド（EPG：Electronic Program Guide）やIPG（Interactive Program Guide）等、番組の詳細な内容として、出演者の情報や番組のジャンル、番組名等の情報が映像情報とともに放送されている。
【０００３】
こうした電子番組ガイド（ＥＰＧ）等を利用する例として、従来、記録媒体上の静止画に含まれるＧＰＳ（Global Positioning System）情報を用い、視聴者のお気に入りの場所を推定し、その場所の情報をＥＰＧ情報の位置情報と比較することで、視聴者のお気に入りの場所に関する番組が放送されることを案内する技術が特許文献１に開示されている。
【先行技術文献】
【特許文献】
【０００４】
【特許文献１】国際公開第２００８／１２９８７９号
【発明の概要】
【発明が解決しようとする課題】
【０００５】
しかしながら、上記従来の技術では、ＥＰＧのように限られた情報に基づいて番組を案内できるだけである。例えば番組中で多数の地域の情報が提供される場合、ＥＰＧにはそのすべての情報が掲載されるのではなく、一部が掲載されるだけの場合もある。こうした場合に、特許文献１の技術では視聴者のお気に入りの場所が放送されるとしても、ＥＰＧに含まれない場合には当該番組は案内されない。
【０００６】
またＥＰＧは番組の制作者や放送局側で作成されるため、例えばドラマ等の番組では、ロケ先の場所の情報までは含まれないこともある。こうした場合にも、視聴者のお気に入りの場所が放送されるとしても、当該番組は案内されない。
【０００７】
このようにＥＰＧは種々の意味で限られた情報が含まれるだけであるので、ＥＰＧのように限られた情報に基づいて番組を案内する方法では、必ずしも視聴者が希望する番組が案内されない。
【０００８】
本発明は上記実情に鑑みて為されたもので、視聴者が希望するより多くの番組を案内できる番組案内装置を提供することを、その目的の一つとする。
【課題を解決するための手段】
【０００９】
上記従来例の問題点を解決するための本発明は、番組案内装置であって、テレビ番組を録画して、番組データとして蓄積する番組データ蓄積手段と、前記番組データから抽出した抽出情報を、当該抽出元となった番組の情報に関連付けて保持する抽出情報保持手段と、移動体の移動中に取得した移動中取得情報をキーとし、当該キーと予め定めた関係にある前記抽出情報を検索する検索手段と、前記検索の結果、前記キーと予め定めた関係にある前記抽出情報が見つけ出されると、当該見つけ出した抽出情報に関連付けられた番組の情報を取り出して、当該取り出した番組の情報に基づいて、前記蓄積されている番組データを案内する案内手段と、を含むこととしたものである。
【００１０】
これにより、移動経路上で取得された情報に関連する番組が案内され、より多くの番組を案内できるようになる。
【００１１】
また本発明の一態様に係る番組案内装置は、テレビ番組を録画して、番組データとして蓄積する番組データ蓄積手段と、前記番組データから抽出した抽出情報を、当該抽出元となった番組の情報に関連付けて保持する抽出情報保持手段と、利用者が行った経路検索の履歴を取得する経路検索履歴取得手段と、当該経路検索の履歴に基づき、当該履歴で検索された経路上にある、所定条件を満足する地理情報を抽出する地理情報抽出手段と、この当該抽出した地理情報をキーとし、当該キーと予め定めた関係にある前記抽出情報を検索する検索手段と、前記検索の結果、前記キーと予め定めた関係にある前記抽出情報が見つけ出されると、当該見つけ出した抽出情報に関連付けられた番組の情報を取り出して、当該取り出した番組の情報に基づいて、前記蓄積されている番組データを案内する案内手段と、を含むこととしたものである。
【００１２】
これにより、カーナビゲーション等で経路を検索したときに取得された情報に関連する番組が案内され、より多くの番組を案内できるようになる。
【００１３】
また前記移動中取得情報は、移動体の移動経路上にある所定条件を満足する地理情報であってもよいし、移動体の移動中に取得されたラジオ音声の情報であってもよい。さらに、前記移動中取得情報は、移動体の移動中に視聴されていた番組情報であってもよい。これにより移動経路上の地理情報、移動中に聴取していたラジオの音声、また移動中に視聴されていた番組に関連する番組が案内されることとなる。
【００１４】
さらに本発明の一態様は、移動中に移動中取得情報を取得する移動体と、番組案内装置とを含む情報処理システムであって、前記番組案内装置は、テレビ番組を録画して、番組データとして蓄積する番組データ蓄積手段と、前記番組データから抽出した抽出情報を、当該抽出元となった番組の情報に関連付けて保持する抽出情報保持手段と、前記移動体から、当該移動体が移動中に取得した移動中取得情報を受け入れる手段と、当該受け入れた移動中取得情報をキーとし、当該キーと予め定めた関係にある前記抽出情報を検索する検索手段と、前記検索の結果、前記キーと予め定めた関係にある前記抽出情報が見つけ出されると、当該見つけ出した抽出情報に関連付けられた番組の情報を取り出して、当該取り出した番組の情報に基づいて、前記蓄積されている番組データを案内する案内手段と、を含むこととしたものである。    
【発明の効果】
【００１５】
本発明によると、移動経路あるいは経路検索の結果により、視聴者の希望するより多くの番組を案内できるようになる。
【図面の簡単な説明】
【００１６】
【図１】本発明の実施の形態に係る番組案内装置の構成例及び接続例を表すブロック図である。
【図２】本発明の実施の形態に係る番組案内装置の例を表す機能ブロック図である。
【図３】本発明の実施の形態に係る番組案内装置が生成する抽出情報の例を表す説明図である。
【図４】本発明の実施の形態に係る番組案内装置が生成する移動中取得情報の一例を表す説明図である。
【図５】本発明の実施の形態に係る番組案内装置の別の例を表す機能ブロック図である。
【図６】本発明の実施の形態に係る番組案内装置の利用する系列ランドマークデータベースの例を表す説明図である。
【発明を実施するための形態】
【００１７】
本発明の実施の形態について図面を参照しながら説明する。本発明の実施の形態に係る番組案内装置１０は、図１に例示するように、アンテナ１、チューナ／復調器２、ＴＳ処理部３、信号処理部４、認識処理部５、映像・音声処理部６、制御ユニット７、及びストレージ部８を含んで構成される。また制御ユニット７は、制御部１１、記憶部１２、操作部１３、表示部１４、及び通信部１５を含んで構成されている。また、この番組案内装置１０に対しては、移動端末２０が通信可能に接続される。
【００１８】
アンテナ１は、放送局から送信される電波を受ける。チューナ／復調器２は、アンテナで受けられた電波から放送信号を得て、当該放送信号をＭＰＥＧ-ＴＳへ復調する。
【００１９】
ＴＳ処理部３は、チューナ／復調器２が出力するＭＰＥＧ-ＴＳを信号処理部４に出力する。信号処理部４は、ＴＳ処理部３が出力する多重化されたストリーム（ＭＰＥＧ-ＴＳ）を映像信号、音声信号、文字スーパー・字幕を表す信号などの複数の信号に分離する。信号処理部４は、音声信号を出力する。また、この信号処理部４は、映像信号をデコードするとともに、当該デコードした映像信号と、文字スーパー・字幕を表す信号とを合成して、合成映像信号として出力する。
【００２０】
認識処理部５は、ＣＰＵ等のプログラム制御デバイスを用いて実現される。この認識処理部５は、信号処理部４または制御ユニット７が出力する音声信号と合成映像信号とから、所定の条件により情報を抽出し、抽出元となった番組データを識別する情報と、この抽出した情報（以下、抽出情報と呼ぶ）とを制御ユニット７に出力する。この抽出情報の詳しい内容については後に述べる。本実施の形態の一例に係る認識処理部５では、例えばこの合成映像信号を処理の対象としてＯＣＲ（光学的文字認識）の処理を実行して、テロップ等として表示された文字列の情報を生成する。また認識処理部５は、例えば音声信号に対して音声認識の処理を実行して、番組内で話された内容を表す文字列の情報を生成する。
【００２１】
映像・音声処理部６は、音声処理部６ａと、映像処理部６ｂとを含んで構成される。ここで音声処理部６ａは、信号処理部４または制御ユニット７から入力された音声信号を、スピーカ等で再生可能なアナログ音声信号に変換して出力する。また映像処理部６ｂは、信号処理部４または制御ユニット７が出力した信号を、テレビ受像機等で表示可能な映像信号等に変換して出力する。
制御ユニット７の制御部１１は、ＣＰＵ等のプログラム制御デバイスである。この制御部１１は、記憶部１２に格納されたプログラムに従って動作する。本実施の形態ではこの制御部１１が、操作部１３から受け入れる指示に従って、番組データの録画や再生を行う。具体的にこの制御部１１は、録画時には、信号処理部４が出力する音声信号と合成映像信号とを、ストレージ部８に蓄積（録画）する。またこの制御部１１は再生時には、ストレージ部８に蓄積（録画）されている合成映像信号と音声信号とを読み出して、映像・音声処理部６に出力する。
【００２２】
また本実施の形態では、この制御部１１は、認識処理部５から入力される抽出元となった番組データを識別する情報と抽出情報とを関連付けて記憶部１２に格納する。
【００２３】
またこの制御部１１は、移動端末２０から、当該移動端末２０の移動中に取得した移動中取得情報を受け入れる。制御部１１は、この受け入れた移動中取得情報をキーとし、当該キーと予め定めた関係にある抽出情報を検索する。そしてこの検索の結果、キーと予め定めた関係にある抽出情報が見つけ出されると、制御部１１は、当該見つけ出した抽出情報に関連付けられた情報で識別される番組データを案内する処理を行う。この制御部１１の詳しい動作についても後に述べる。
【００２４】
記憶部１２は、メモリデバイス等であり、制御部１１によって実行されるプログラムを保持する。このプログラムは、ＤＶＤ-ＲＯＭ等のコンピュータ可読な記録媒体に格納されて提供され、この記憶部１２に格納されたものであってもよいし、ネットワーク等を介して配信され、この記憶部１２に格納されたものであってもよい。またこの記憶部１２は、制御部１１が生成する番組データと抽出情報とを関連付けたデータベース（抽出情報データベース）を保持する。さらにこの記憶部１２は制御部１１のワークメモリとしても動作する。
【００２５】
操作部１３は、リモコン等の手段により、ユーザーからの操作要求を受信し、当該操作要求の内容を制御部１１に出力している。表示部１４は、制御部１１から入力される指示に従って映像信号や音声信号を生成し、外部のテレビ受像機等に対して出力している。通信部１５は、例えばネットワークインタフェース等であり、外部の移動端末２０との間で、制御部１１から入力される指示に従って種々の情報を送受する。
ストレージ部８は制御ユニット７の指示に従い、音声信号や合成映像信号等の番組データを蓄積するハードディスクドライブ等である。すなわち本実施の形態では、このストレージ部８が番組データ蓄積手段として動作する。
【００２６】
また、この番組案内装置１０に接続される移動端末２０は、可搬型のデバイス、例えばカーナビゲーションシステムやドライブレコーダ、またはいわゆるスマートフォン等であり、ＧＰＳ等の方式により移動経路の情報を蓄積している。本実施の形態のある例では、この移動端末２０は、移動経路の情報として、所定のタイミングごとにＧＰＳ等から得た位置情報（緯度、経度、高度の情報）を、時系列の順に複数記録する。この記録が本実施の形態の移動中取得情報の一例となる。
【００２７】
また移動端末２０は、移動中取得情報として、移動体としての移動端末２０の移動経路上にある所定条件を満足する地理情報を生成して記録してもよい。具体的にこの移動端末２０は、位置情報（緯度、経度、高度の情報）とランドマーク（店舗や観光地等）の名称とを関連付けたランドマークデータベースを保持する。そしてこの場合、移動端末２０は、取得した位置情報から予め定めた距離を下回る距離にある位置情報に関連付けられたランドマークがランドマークデータベースに保持されている場合に、当該ランドマークの名称を記録してもよい。この場合、当該記録が本実施の形態の移動中取得情報の一例となる。
【００２８】
次に、本発明の実施の形態に係る番組案内装置１０の制御部１１の動作について述べる。本実施の形態の制御部１１は、機能的には図２に例示するように、情報抽出部２１と、抽出情報保持部２２と、キー取得部２３と、検索部２４と、案内処理部２５とを含んで構成される。
【００２９】
情報抽出部２１は、所定のタイミングで、ストレージ部８に蓄積（録画）されている番組データを、認識処理部５に出力する。認識処理部５は、番組データから、当該番組の映像に含まれる文字列や、音声に含まれる、発話された言葉（話された内容）を表す文字列を抽出する。情報抽出部２１は、認識処理部５にて抽出された文字列の情報を抽出情報として、抽出情報保持部２２に出力する。またこの情報抽出部２１は、当該認識処理部５に出力した番組データに係る情報（その番組の放送日時や番組名等）を取得して、抽出情報とともに抽出情報保持部２２に出力する。
抽出情報保持部２２は、番組を特定する情報（抽出元となった番組の情報）に関連付けて、当該情報抽出部２１から入力される抽出情報を記録する。また抽出情報保持部２２は、この番組を特定する情報とともに、さらに抽出元となった番組の部分（チャプタ）を特定する情報を関連付けて、情報抽出部２１から入力される抽出情報を記録することとしてもよい。
【００３０】
キー取得部２３と検索部２４とは、移動端末２０から得られる移動中取得情報をキーとして、このキーと予め定めた関係にある抽出情報を検索する。例えば、移動中取得情報がランドマークの名称の記録であれば、キー取得部２３は、当該キーとして記録されたランドマークの名称のそれぞれを、そのまま出力する。そして検索部２４は、出力されたランドマークの名称を、そのまま検索語として、抽出情報のうちから当該検索語を含む文字列の情報を検索する。この場合制御部１１は、キーがそのまま検索語として含まれるという関係にある抽出情報を検索することになる。
【００３１】
また別の例として、キー取得部２３は、例えば移動端末２０が記録した複数の位置情報が移動中取得情報である場合は、このキーとなった移動中取得情報について次の処理を行う。すなわちこの例では、番組案内装置１０が位置情報（緯度、経度、高度の情報）とランドマーク（店舗や観光地等）の名称とを関連付けたランドマークデータベースにアクセス可能になっているものとする。つまり、ランドマークデータベースが記憶部１２に格納されていてもよいし、ネットワーク等を介して外部のサーバに格納されたランドマークデータベースにアクセス可能となっていてもよい。この例ではキー取得部２３は、移動端末２０が記録した複数の位置情報の各々について、当該位置情報と予め定めた距離を下回る距離にある位置情報に関連付けられたランドマークがランドマークデータベースに保持されている場合に、当該ランドマークの名称を取得して出力する。
【００３２】
この例では、検索部２４が、こうしてキーから取得されるランドマークの名称のそれぞれを検索語として、抽出情報から当該検索語を含む文字列の情報を検索する。この場合の制御部１１は、キーから得られるランドマークの名称を含むという関係にある抽出情報を、検索することとなる。
【００３３】
案内処理部２５は、検索部２４が検索の結果見出した抽出情報がある場合に、当該抽出情報に含まれる情報で特定される番組の一覧を生成し、表示部１４を介してテレビ受像機に表示させる。利用者がこの一覧から番組を選択する指示を行うと、制御部１１は当該指示を受けて、当該選択された番組に対応する番組データを、ストレージ部８から読み出して映像・音声処理部６に出力して、テレビ受像機等で出力可能な音声信号や映像信号を生成させ、これを表示部１４を介してテレビ受像機に出力する。テレビ受像機側ではこの出力を得て、音声信号に基づく音声を鳴動させ、また映像信号に基づく映像を表示出力する。
【００３４】
本実施の形態は基本的にこのような構成を備えており、次のように動作する。本実施の形態のある例では、予め指定されたチャンネルの放送が、各番組の開始終了に関わらず、継続的に録画されている。つまり、この例ではチューナ／復調器２が、アンテナ１で受けられた電波から予め指定されたチャンネルの放送信号を得て、当該放送信号をＭＰＥＧ-ＴＳへ復調する。そしてＴＳ処理部３が、当該ＭＰＥＧ-ＴＳに多重化されたストリームを出力する。
【００３５】
また信号処理部４は、ＴＳ処理部３が出力するストリームに含まれる音声信号をデコードしており、当該デコードして得た音声信号を制御ユニット７に出力する。またこの信号処理部４は、ＴＳ処理部３が出力するストリームに含まれる映像信号をデコードするとともに、当該デコードした映像信号と、文字スーパー・字幕を表す信号とを合成して、合成映像信号として制御ユニット７に出力する。そして制御ユニット７は、この音声信号や合成映像信号を番組データとして、ストレージ部８に格納する。
【００３６】
また信号処理部４は音声信号と合成映像信号とを、認識処理部５に出力する。認識処理部５は例えば、入力される合成映像信号に対してＯＣＲの処理を実行する。そしてＯＣＲ処理の結果、ビデオデータに含まれる文字の映像が表す文字列を抽出する。この抽出された文字列は制御ユニット７の制御部１１に出力され、当該抽出した時点で放送されている番組を特定する情報や、当該番組を特定する情報とチャプタ（番組を複数の時間帯に分割して得られる部分情報）を特定する情報と（信号処理部４において取得できる）に関連付けて記憶部１２に、抽出情報として蓄積する。また認識処理部５は、入力される音声信号に対して音声認識の処理を実行し、当該処理の結果、音声信号に含まれる音声が表す文字列を抽出してもよい。この場合も、制御ユニット７が当該認識処理部５で抽出された文字列を受け入れるとともに、抽出した時点で放送されている番組を特定する情報（またはそれとともにチャプタを特定する情報）に関連付けて、当該受け入れた文字列を抽出情報として、記憶部１２に蓄積する。なお、ここまでの説明では認識処理部５は、字幕等の情報も映像信号として合成された状態で受け入れてＯＣＲの処理を行うものとしたが、認識処理部５は信号処理部４から字幕の文字列の情報をそのまま受け入れて、当該文字列の情報をそのまま抽出した情報として制御ユニット７に出力しても構わない。
【００３７】
具体的な例として、旅行番組等が放送されているときには、旅行先の宿の名称が映し出されれば当該名称がＯＣＲにより文字列として抽出される。また、旅行中の地名等を当該番組の出演者が口に出せば、当該地名等が音声認識処理により文字列として抽出される。さらに字幕等として得られる文字列についても抽出され、抽出情報として、抽出元の番組を特定する情報（または当該抽出元の番組を特定する情報と、チャプタを特定する情報との組）とともに蓄積される（図３）。図３は、本発明の実施の形態に係る番組案内装置が生成する抽出情報の例を表す説明図である。
【００３８】
一方、利用者は、移動端末２０とともに移動している。この移動中に、移動端末２０は、移動経路の位置情報を取得し、またこの位置情報の近傍にあるランドマークの名称等を記録していく（図４）。図４は、本発明の実施の形態に係る番組案内装置が生成する移動中取得情報の一例を表す説明図である。この図４では、ランドマークの名称のほか、取得した位置情報そのものを併せて記録することとしている。また位置情報を取得した日時を表す日時情報をさらに併せて記録することとしてもよい。ここで例えば利用者が帰宅して、この移動端末２０と、番組案内装置１０とが互いに通信可能な状態となると、番組案内装置１０の制御部１１は、移動端末２０から移動中取得情報として、例えば移動中に記録されたランドマークの名称の一覧を取得する。そして制御部１１は、このランドマークの名称の各々をそのまま検索語として、当該検索語を含む抽出情報を検索する。なお、制御部１１は重複した（同じ）ランドマークの名称が移動中取得情報に含まれている場合には、重複を避けるべく一つにまとめる（UNIX（登録商標）におけるuniqコマンドと同様の処理を行う）こととしてもよい。また、重複したランドマークがある場合にも、そのまま移動中取得情報として使用してもよい。
【００３９】
ここで例えば録画された番組Ａ中で、「京都・嵐山」の地名が読上げられ、または字幕に現れていて、当該番組Ａを特定する情報に関連付けて、この「京都・嵐山」の文字列が、抽出情報として蓄積されているとする。また利用者が京都の嵐山付近を、移動端末２０とともに通過して帰宅すると、この移動端末２０にはランドマークの名称として「嵐山」が移動中取得情報として記録されている。そこで番組案内装置１０は、この移動中取得情報を取得して、当該「嵐山」を含む抽出情報を検索し、番組Ａを特定する情報に関連付けられた「京都・嵐山」の文字列の情報を見出す。そして番組案内装置１０は、当該文字列に関連付けられた情報で特定される、番組Ａを利用者に案内する（番組Ａの名称等を選択可能に表示し、選択されれば番組Ａを再生する）。またこのとき、番組Ａを特定する情報とともに、番組Ａ内のチャプタａを特定する情報に関連付けられた「京都・嵐山」の文字列の情報を見出した場合には、この番組Ａのチャプタａを利用者に案内する（番組Ａのチャプタａの名称等を選択可能に表示し、選択されれば番組Ａをチャプタａから再生する）こととしてもよい。
【００４０】
なお、ここでは移動中取得情報を、位置情報に基づくものとしたが、本実施の形態はこれに限られない。例えば移動端末２０がカーオーディオ機能を備えたカーナビゲーションシステム等である場合、移動中取得情報は、当該カーオーディオ機能で受信されていたラジオの音声の情報であってもよい。つまり移動端末２０は、受信しているラジオの音声について、音声認識処理を実行して、ラジオの音声から発話されている語の文字列を生成し、移動中取得情報として記録してもよい。
【００４１】
この場合、この文字列を移動中取得情報として得た番組案内装置１０は、当該文字列から所定の方法で検索語を生成する。具体的には予め用意された辞書を参照して形態素ないし単語に分割し、所定時間内に所定第１しきい値以上の回数現れる形態素ないし単語であって、記録された文字列から得られた形態素ないし単語の全体のうちに出現する頻度が所定第２しきい値を下回る形態素ないし単語があれば、当該形態素ないし単語を検索語とする。そして番組案内装置１０は、当該検索語を含む抽出情報を検索する。以下の処理は、検索語をランドマークの名称等とする上述の例と同様であるので、繰返しての説明は省略する。
【００４２】
この例では、具体例として車両中で聴取した交通情報等のラジオ番組の音声の表す文字列が移動中取得情報として記録される。このため例えば「ＸＸ市ＸＸにおいて発生した事故のため渋滞」といった文字列が記録され得る。一方、番組案内装置１０では、報道番組で放送されたニュース等も音声認識等の対象とされるため「ＸＸ市ＸＸにおいて発生した事故」のニュースの音声が表す文字列も抽出情報として記録され得る。そこで番組案内装置１０は、当該事故渋滞に巻き込まれてから帰宅した利用者に対して、当該事故の概況を報道した番組を案内することが可能となる。
【００４３】
さらにこのようにラジオの音声を用いる場合、移動端末２０はラジオの音声から音声認識処理で得られたすべての文字列を記録するのではなく、ＧＰＳ等で得られる位置情報から得たランドマークの名称を含む文字列が、ラジオの音声からの音声認識処理で得られた場合に、当該文字列が含まれる音声の前後所定時間分の音声から得られた文字列を選択的に記録することとしてもよい。この場合、例えば実際に通過した地域近傍の交通情報が記録されることとなる。
【００４４】
なお、番組案内装置１０は、移動中取得情報に含まれる文字列を含む抽出情報を検索して、番組の一覧を生成して提示する際に、この一覧に含まれる番組を所定の方法で定めた順序で並べ替えて提示してもよい。例えば番組案内装置１０は、移動中取得情報に含まれる文字列を含む抽出情報の数を、それぞれに関連付けられた情報で特定される番組ごとにカウントする。そして番組案内装置１０は、このカウントの結果を番組ごとのスコアとし、スコアの高い順に並べ替えて番組一覧を提示してもよい。この際、移動中取得情報に重複した文字列が含まれることを許容している場合は、重複した文字列を含む抽出情報に関連付けられた情報で特定される番組のスコアは重複の分だけ大きくなる。具体的に移動中取得情報が上述した、ランドマークの名称の文字列である場合、立寄り回数が多い場所に係る番組ほどスコアが大きくなる結果となる。
【００４５】
また例えば移動端末２０がカーナビゲーションシステムやドライブレコーダなど、経路上の目的地、または立寄り地が検出できる場合は、番組案内装置１０は次のような処理を行ってもよい。ここで経路上の目的地は、例えば経路の検索指示が行われた際に入力された情報として取得でき、また立寄り地は、移動経路上の位置情報が当該位置情報の場所を移動した日時とともに記録されている場合に、所定のしきい値時間以上所在した位置の位置情報（または、所定のしきい値時間以上所在した位置の位置情報であって、かつ、ランドマークの位置情報に、所定のしきい値距離よりも近接しているような位置情報）を抽出することにより検出できる。
【００４６】
この場合、番組案内装置１０は、目的地または立寄り地に係る移動中取得情報の文字列を含む抽出情報と、そうでない（単に通過した経路上の）移動中取得情報に含まれる文字列を含む抽出情報とで異なる重みを付して上記スコアのカウントを行ってもよい。具体的には番組案内装置１０は、目的地または立寄り地に係る移動中取得情報の文字列をｎ個含む抽出情報について「２ｎ」のカウントを付与し、そうでない（単に通過した経路上の）移動中取得情報に含まれる文字列をｍ個含む抽出情報について「ｍ」のカウントを付与して総計を演算してスコアとする。このようにすると、目的地や立寄った場所が紹介されている番組ほど上位に列挙されるようにするなどといった処理が可能となる。
【００４７】
さらにここまでの説明では、移動端末２０が移動中に記録した情報に基づいて、番組の案内が行われる例について述べたが、本実施の形態はこれだけに限られない。例えば移動端末２０がカーナビゲーションシステムなど、移動の経路を検索する動作をするものであるときには、この経路検索の履歴に関係する情報に基づいて、番組の案内を行うこととしてもよい。
【００４８】
この例に係る番組案内装置１０は、図１に例示したものと同様の構成をとるが、制御部１１によって実行されるプログラムが異なり、制御部１１の機能的な構成が図２に例示したものと異なることとなる。具体的にこの例に係る制御部１１は、図５に例示するように、機能的には情報抽出部２１と、抽出情報保持部２２と、経路検索履歴取得部３１と、地理情報抽出部３２と、検索部３４と、案内処理部２５とを含んで構成される。なお、既に説明した例と同様の構成をとるものについては同じ符号を付して、重複した説明を省略する。
【００４９】
またこの例では、番組案内装置１０が位置情報（緯度、経度、高度の情報）とランドマーク（店舗や観光地等）の名称とを関連付けたランドマークデータベースにアクセス可能になっているものとする。つまり、ランドマークデータベースが記憶部１２に格納されていてもよいし、ネットワーク等を介して外部のサーバに格納されたランドマークデータベースにアクセス可能となっていてもよい。
【００５０】
経路検索履歴取得部３１は、利用者が移動端末２０にて行った経路検索の履歴を取得する。具体的にこの経路検索履歴取得部３１は、移動端末２０と通信して、移動端末２０側で保持している、経路の検索履歴を取得する。ここで経路の検索履歴には、過去に検索して得られた経路に係る情報（経路上の案内地点の一覧ないし、経路の始点及び終点の情報でもよい）が含まれるものとする。
【００５１】
地理情報抽出部３２は、当該経路検索の履歴に基づき、当該履歴で検索された経路上にある、所定条件を満足する地理情報を抽出する。例えばこの地理情報抽出部３２は、経路検索履歴取得部３１が取得した経路検索の履歴が、経路上の複数の位置情報の羅列であれば、地理情報抽出部３２は、取得された複数の位置情報の各々について、当該位置情報と予め定めた距離を下回る距離にある位置情報に関連付けられたランドマークがランドマークデータベースに保持されている場合に、当該ランドマークの名称を取得して、地理情報として出力する。
【００５２】
またこの地理情報抽出部３２は、経路検索履歴取得部３１が取得した経路検索の履歴が、経路上の案内地点の一覧ないし、経路の始点及び終点の情報である場合は、例えばネットワークを介してアクセス可能な経路探索サービス（例えば米国グーグル社が提供するグーグルマップ等がある）を用いる等して、当該案内地点を通過する経路または、始点及び終点を結ぶ経路を検索する。そして地理情報抽出部３２は、この検索の結果、得られた経路上の複数の位置情報を取り出して、当該取り出された複数の位置情報の各々について、当該位置情報と予め定めた距離を下回る距離にある位置情報に関連付けられたランドマークがランドマークデータベースに保持されている場合に、当該ランドマークの名称を取得して、地理情報として出力することとしてもよい。
【００５３】
検索部３４は、地理情報抽出部３２が出力する地理情報をキーとして、このキーと予め定めた関係にある抽出情報を検索する。具体的にこの検索部３４は、当該キーとなる地理情報であるランドマークの名称のそれぞれを、そのまま検索語として、抽出情報のうちから当該検索語を含む文字列の情報を検索する。この場合制御部１１は、キーがそのまま検索語として含まれるという関係にある抽出情報を検索することになる。そして案内処理部２５が、検索部３４による検索の結果、見出された抽出情報がある場合に、当該抽出情報に含まれる情報で特定される番組の一覧を生成し、表示部１４を介してテレビ受像機に表示させる。利用者がこの一覧から番組を選択する指示を行うと、制御部１１は当該指示を受けて、当該選択された番組に対応する番組データを、ストレージ部８から読み出して映像・音声処理部６に出力し、映像・音声処理部６が出力する信号を、表示部１４を介してテレビ受像機に出力する。テレビ受像機側ではこの出力を得て、音声信号に基づく音声を鳴動させ、また映像信号に基づく映像を表示出力する。
【００５４】
この例によると、利用者がカーナビゲーションシステム等、移動経路を検索可能な移動端末２０において経路を検索すると、当該検索した経路の近傍にあるランドマークの名称を抽出情報に含む番組が案内される。つまり、この例によると、実際に移動した先でなくても、利用者が興味を持って検索した経路上のランドマークについての情報を含む番組が案内される。
【００５５】
なお、ここでは移動端末２０を例としたが、この例においては、経路を検索する装置は移動端末２０のように、可搬型のデバイスでなくてもよく、据置型のパーソナルコンピュータ等であっても構わない。
【００５６】
さらに移動中取得情報は、ここまでに例示したものだけに限られない。例えば移動端末２０は、移動中に利用者が視聴していた番組を特定する情報を、移動中取得情報として記録していてもよい。この場合、番組案内装置１０は、移動端末２０から移動中取得情報として、利用者が移動中に視聴していた番組を特定する情報を取得し、例えば最後に記録されている番組を特定する情報で特定される番組がストレージ部８に録画されていれば、当該番組を案内することとしてもよい。
【００５７】
また別の例の移動端末２０は、移動中取得情報として、移動中の複数の時点で、利用者が視聴していた番組を特定する情報と、その番組の受信感度の情報とを取得して移動中取得情報として記録していてもよい。この場合、番組案内装置１０の制御部１１は、移動中取得情報に含まれる情報で特定される番組を案内するとともに、各番組の上記複数の時点ごとの受信感度の情報を参照し、受信感度の情報が所定の感度しきい値を下回る時点で受信されていた（あるいは受信しようとしていた）番組を特定する情報と、当該番組の開始日時からの経過時間とを取得する。
【００５８】
ここで番組の開始日時からの経過時間は、視聴開始からの経過時間により推定してもよいし、あるいは移動端末２０が移動中取得情報として移動先の位置情報も併せて記録している場合には、当該位置情報が表す地域における、当該番組の受信日時における番組表情報を取得して参照し、当該番組の開始日時の情報を取得して、受信感度が感度しきい値を下回った日時と比較して、番組の開始日時からの経過時間を演算して取得してもよい。
【００５９】
このように番組の開始日時からの経過時間により、受信感度が所定の感度しきい値を下回った時点を表すこととするのは、地域により放送時間帯が異なることに配慮したものである。制御部１１は、こうして取得した経過時間の情報を用い、案内する各番組において、受信感度が所定の感度しきい値を下回った時点である、番組の開始日時からの経過時間に対応する位置に、再生開始位置を表すマーカーを設定する。
【００６０】
制御部１１は、この再生開始位置を表すマーカーが利用者により選択され、再生の指示を受けると、当該再生が指示された番組を、このマーカーが表す再生開始位置に対応する位置から再生する。このように番組の途中から再生する処理は広く知られた方法を採用できるので、詳しい説明を省略する。
【００６１】
またここまでの説明においてランドマークは店舗や観光地等であることとしたが、店舗のように、各地に系列の店がある場合など、各地に互いに関係するものがある場合は次のように処理を行ってもよい。この例では、番組案内装置１０の制御部１１は、各地の関係するランドマークを互いに関連付けた系列ランドマークデータベースにアクセス可能に接続される。つまり、系列ランドマークデータベースは記憶部１２に格納されていてもよいし、ネットワーク等を介して外部のサーバに格納された系列ランドマークデータベースにアクセス可能となっていてもよい。
【００６２】
この系列ランドマークデータベースは、図６に例示するように、識別情報と、ランドマークの名称と、当該ランドマークの位置情報とを関連付けたエントリーを複数記録したものであり、ここで識別情報は、互いに関連する各地のランドマークについて同一のものを設定しておくものとする。
【００６３】
この場合、制御部１１のキー取得部２３または検索部３４は、検索語となったランドマークの名称を取得すると、このランドマークの名称を含むエントリーを系列ランドマークデータベースから検索する。そして検索の結果、当該ランドマークの名称を含むエントリーが見出されると、当該エントリーに含まれる識別情報を取得する。
【００６４】
制御部１１は次に、この取得した識別情報を含むエントリーを系列ランドマークデータベースから検索し、検索により見出されたエントリーに含まれるランドマークの名称の情報を取り出す。なお、重複する（同じ）ランドマークの名称がある場合には、重複を避けるべく一つにまとめる（UNIX（登録商標）におけるuniqコマンドと同様の処理を行う）こととしてもよい。この場合、制御部１１は、この取り出したランドマークの名称（重複を避けたもの）を出力し、またはこのランドマークの名称を含む抽出情報を検索することとなる。また、重複を許容する場合、制御部１１は、取り出したランドマークの名称を出力する際、重複したランドマークの名称があってもそのまま（重複したまま）出力し、このランドマークの名称を含む抽出情報を検索する（重複したランドマークの名称がある場合は、重複の回数だけ、同じ抽出情報を検索により見出す）こととなる。
【００６５】
この例によると、移動した経路上にある店舗や、行き先となった店舗の系列店が登場する番組が案内される。なお、このような検索を行う場合、番組案内装置１０の制御部１１は、利用者の居住地（番組案内装置１０が設置されている地域）や通勤経路、携帯電話機やＰＣに保存されている住所録情報に記載された住所地（この場合は、番組案内装置１０は、指定された携帯電話機やＰＣに保存された住所録情報を参照する）等、利用者が予め設定した地域近傍のランドマークの名称を予め取得しておく。なお、番組案内装置１０が設置されている地域は、例えば地上ディジタル放送の受信設定で入力されている情報（郵便番号情報等）を用いることができる。
【００６６】
そして系列ランドマークデータベースから検索したランドマークの名称を用いて、抽出情報を検索する場合、当該系列ランドマークデータベースから検索したランドマークの名称を用いて検索された番組の情報に関連付けられた抽出情報に、番組案内装置１０が設置されている地域近傍のランドマークの名称が含まれるか否かを調べ、含まれる場合にのみ当該情報で特定される番組を案内するようにしてもよい。このようにすると、移動経路上にある店舗または行き先となった店舗に関連する系列の店舗であって、番組案内装置１０が設置されている地域近傍の地域にある店舗が紹介されている番組が案内される。
【００６７】
さらに本実施の形態の番組案内装置１０では、番組の録画をする際に、予め定められた時間より前に録画された番組データをストレージ部８から削除していくようにしてもよい。つまり、この場合のストレージ部８は、所定の時間長の番組データを記録するリングバッファとして機能する。
【００６８】
この場合、制御部１１は、検索部２４または検索部３４の処理として抽出情報を検索するにあたり、新しく録画された番組を特定する情報を含む抽出情報から順に検索を行う。これによりすぐに削除される可能性のある番組データが検索により見出される機会を防止する。あるいは、制御部１１の検索部２４または検索部３４は、最近の所定期間に録画されている番組を特定する情報を含む抽出情報を対象として検索を行ってもよい。さらに別の例では、制御部１１は、録画順に検索を行ってもよい。
【００６９】
またこのようにリングバッファに番組を録画する態様としている場合に、上述のように番組ごとのスコアを演算しているときには、この演算したスコアが所定のスコアしきい値を超えている番組については、削除しないよう処理を行ってもよい。この処理としては例えばストレージ部８の別の領域に複写するなどしておけばよい。
【００７０】
さらに本実施の形態において番組案内装置１０は、チューナ／復調器２、ＴＳ処理部３、信号処理部４、及び映像・音声処理部６を含む録画ユニットを複数組備えていてもよい。この例では、制御部１１は各録画ユニットにより録画された番組データを対象として抽出情報を生成し、この生成した抽出情報を対象として検索部２４または検索部３４の処理を行うこととすればよい。
【００７１】
さらに移動端末２０は携帯電話回線網等の移動通信手段を介して、番組案内装置１０に対して、移動中に通信可能な状態となっていてもよい。この場合、番組案内装置１０の制御部１１は、移動端末２０から移動中取得情報として、例えば移動端末２０の現在位置近傍にあるランドマークの名称と、当該移動端末２０の過去の移動経路上にあったランドマークの名称とを取得する。そして制御部１１は、このランドマークの名称の各々をそのまま検索語として、当該検索語を含む抽出情報を検索する。
【００７２】
ここで例えば録画された番組Ａ中で、「京都・嵐山」の地名が読上げられ、または字幕に現れていて、当該番組Ａを特定する情報に関連付けて、この「京都・嵐山」の文字列が、抽出情報として蓄積されているとする。そして利用者が京都の嵐山付近を、移動端末２０を携帯して移動している場合、あるいは移動していた場合、この移動端末２０はランドマークの名称「嵐山」を移動中取得情報として番組案内装置１０宛に送出する。番組案内装置１０は、この移動中取得情報を取得すると、当該「嵐山」を含む抽出情報を検索し、番組Ａを特定する情報に関連付けられた「京都・嵐山」の文字列の情報を見出す。そして番組案内装置１０は、当該文字列に関連付けられた情報で特定される、番組Ａを利用者に案内する。
【００７３】
具体的には、番組案内装置１０は、当該移動中取得情報に関連付けられた情報で特定された番組（以下、注目番組と呼ぶ）を再生するか否かを問い合せるべき指示を移動端末２０に送出する。移動端末２０では、当該指示に従い問い合せを表示する。移動端末２０の利用者がこの問い合せに応答して、注目番組の再生指示を行うと、移動端末２０は当該注目番組の再生指示を番組案内装置１０へ送出する。
【００７４】
番組案内装置１０は、移動端末２０側で再生可能なデータとなるよう、当該注目番組の録画データを変換する。例えば、番組案内装置１０は予め定められた形式（３ｇｐｐで規定されたデータ形式等）へ注目番組の録画データを変換する。あるいは、番組案内装置１０は、変換可能なデータ形式のリストを移動端末２０側へ送出する。このようにリストが送出される場合、移動端末２０では当該リストを利用者に提示し、当該リストのうちからデータ形式の選択を求める。
【００７５】
利用者がこのリストのうちからデータ形式の一つを選択すると、移動端末２０は当該選択されたデータ形式を特定するデータ形式特定情報を番組案内装置１０へ送出する。番組案内装置１０は、このデータ形式特定情報を受信し、当該データ形式特定情報で特定されるデータ形式に、注目番組の録画データを変換する。
【００７６】
このように、予め定められた形式、あるいは利用者が指定した形式に変換された録画データを得た番組案内装置１０は、この変換後のデータを移動端末２０へ送出する。そして移動端末２０では、当該変換後のデータに基づいて番組のデータを再生する。
【００７７】
なお、上述のようにデータ形式のリストを送出する場合、番組案内装置１０では、上記変換処理の負荷を考慮し、なるべく再生開始のタイミングを早くするべく、当該送出したリストの上位にあるデータ形式（デフォルトとして選択されるデータ形式があれば当該データ形式を最初にする）から順次、データ形式を選択し、選択したデータ形式へ注目番組をそれぞれ変換してキャッシュしておくこととしてもよい。このときには、番組案内装置１０は、利用者の選択したデータ形式を特定するデータ形式特定情報が受信されると、当該受信したデータ形式特定情報で特定されるデータ形式への変換結果がキャッシュされているか否かを調べ、キャッシュされていれば、当該キャッシュされている変換結果を端末装置２０へ送信する。一方、キャッシュされていなければ、番組案内装置１０は、受信したデータ形式特定情報で特定されるデータ形式に、注目番組の録画データを変換して、変換後のデータを移動端末２０へ送出する。なお、移動端末２０への変換後のデータを送信した後は、番組案内装置１０は、キャッシュされている変換後のデータのうち、送信されないデータ形式のデータを削除することとしてもよい。
【００７８】
さらにこのように移動端末２０が現在移動中の場所に関する情報を含む移動中取得情報が番組案内装置１０にて受信される場合、番組案内装置１０は、当該現在移動中の場所に関する情報（例えば移動中の位置近傍にあるランドマークの名称）だけに基づいて、抽出情報の検索を行ってもよい。例えば移動中の位置近傍にあるランドマークの名称をそのまま検索語として、当該検索語を含む抽出情報を検索してもよい。
【００７９】
あるいは、移動端末２０が移動中取得情報として、ランドマークの名称等、移動中に取得した情報と、当該情報の取得日時を表す情報とを関連付けて記録しており、番組案内装置１０が当該移動中取得情報を受け入れた場合、現在日時（カレンダーチップ等から取得できる）に近いほど大きくなる重みを設定して移動中取得情報を統計処理し、より重みの大きい移動中取得情報に基づいて、抽出情報の検索を行ってもよい。
【００８０】
さらに、ここまでの説明では移動端末２０と、番組案内装置１０とは別体の装置であるものとしたが、番組案内装置１０自体が移動可能となっており、移動端末２０としての機能を兼ねてもよい。つまり、移動端末２０と、番組案内装置１０とは一体の装置であっても構わない。
【符号の説明】
【００８１】
１  アンテナ、２  チューナ／復調器、３  Ｔ／Ｓデコーダ、４  信号処理部、５  認識処理部、６  映像・音声処理部、７  制御ユニット、８  ストレージ部、１０  番組案内装置、１１  制御部、１２  記憶部、１３  操作部、１４  表示部、１５  通信部、２０  移動端末、２１  情報抽出部、２２  抽出情報保持部、２３  キー取得部、２４，３４  検索部、２５  案内処理部、３１  経路検索履歴取得部、３２  地理情報抽出部。
【図１】
2014107832.tif 000003
【図２】
2014107832.tif 000004
【図３】
2014107832.tif 000005
【図４】
2014107832.tif 000006
【図５】
2014107832.tif 000007
【図６】
2014107832.tif 000008
【手続補正書】
【提出日】平成24年12月3日(2012.12.3)
【手続補正１】
【補正対象書類名】明細書
【補正対象項目名】００８１
【補正方法】変更
【補正の内容】
【００８１】
１  アンテナ、２  チューナ／復調器、３  ＴＳ処理部、４  信号処理部、５  認識処理部、６  映像・音声処理部、７  制御ユニット、８  ストレージ部、１０  番組案内装置、１１  制御部、１２  記憶部、１３  操作部、１４  表示部、１５  通信部、２０  移動端末、２１  情報抽出部、２２  抽出情報保持部、２３  キー取得部、２４，３４  検索部、２５  案内処理部、３１  経路検索履歴取得部、３２  地理情報抽出部。
【手続補正２】
【補正対象書類名】図面
【補正対象項目名】図１
【補正方法】変更
【補正の内容】
【図１】
2014107832.tif 000009
【手続補正３】
【補正対象書類名】図面
【補正対象項目名】図５
【補正方法】変更
【補正の内容】
【図５】
2014107832.tif 000010